(57)【要約】【課題】化粧シートの転着紙が遊技基盤に残ることなく、化粧シートが遊技基盤から剥がせるようにする。【解決手段】化粧シート３が透明な熱可塑性合成樹脂からなる表面パネル５の後面に化粧層６を印刷しかつ化粧層６の後面に転着紙７を水溶性エマルジョンタイプの接着剤８で結合した構成であり、化粧シートの転着紙７の後面が合板製の遊技基盤２の前面に熱可塑性接着剤４で結合された構成であり、この熱可塑性接着剤４の遊技基盤２と転着紙７とを結合する強度が接着剤８の化粧層６と転着紙７とを結合する強度よりも小さく、熱可塑性接着剤４が６０℃乃至２００℃の温度で軟化または溶融するポリビニルアルコール樹脂を主成分としており、遊技盤１に加熱処理９を行うことによって、表面パネル５が反り返り、転着紙７が遊技基盤２に残留することがなく、化粧シート３が遊技基盤２から容易に剥がれる。【選択図】図１
2008194105.tif 000002
【特許請求の範囲】
【請求項１】
化粧シートが透明な熱可塑性合成樹脂からなる表面パネルの後面に化粧層を印刷しかつ化粧層の後面に転着紙を水溶性エマルジョンタイプの接着剤で結合した構成であり、化粧シートの転着紙の後面が合板製の遊技基盤の前面に熱可塑性接着剤で結合された構成であり、加熱処理を受けた場合、熱可塑性接着剤の遊技基盤と転着紙とを結合する強度が水溶性エマルジョンタイプの接着剤の化粧層と転着紙とを結合する強度よりも小さくなることを特徴とするパチンコ遊技機の遊技盤。
【請求項２】
請求項１記載の熱可塑性接着剤が６０℃乃至２００℃の温度で軟化または溶融するポリビニルアルコール樹脂を主成分とする接着剤であることを特徴とするパチンコ遊技機の遊技盤。
【発明の詳細な説明】
【技術分野】
【０００１】
本発明は、化粧シートの転着紙が遊技基盤に残ることなく、化粧シートが遊技基盤から剥がせるパチンコ遊技機の遊技盤に関する。
【背景技術】
【０００２】
遊技店から使用済遊技盤を回収して資源として再利用することは知られている。ガイドレール、入賞部品、装飾部品、球誘導構造体、遊技釘などの遊技部品が、使用済遊技盤として遊技店から回収された遊技盤から取り外される。図２に示すように、遊技盤１は、合板製の遊技基盤２に化粧シート３の転着紙７が水溶性エマルジョンタイプの接着剤１０で結合された構造である。化粧シート３は、表面パネル５の後面に化粧層６を印刷で形成し、化粧層６の後面に水溶性エマルジョンタイプの接着剤８で結合した構造である。よって、接着剤８と接着剤１０とが同質の接着剤であることから、接着剤１０の遊技基盤２と化粧シート３とを結合する強度と、接着剤８の化粧層６と転着紙７とを結合する強度が同じであり、化粧シート３を遊技基盤２から剥がす場合、転着紙７が遊技基盤２に残る場合がある。このように転着紙７が遊技基盤２に残ると、遊技基盤２をパーティクルボードなどの材料資源として適切に使用することができないという欠点がある。
【特許文献１】特開平９−１７３５３８号公報
【特許文献２】特開平１０−９９４８８号公報
【発明の開示】
【発明が解決しようとする課題】
【０００３】
発明が解決しようとする問題点は、転着紙７が遊技基盤２に残ると、遊技基盤２を資源として適切に使用することができないという点である。
【課題を解決するための手段】
【０００４】
本発明に係るパチンコ遊技機の遊技盤は、化粧シートが透明な熱可塑性合成樹脂からなる表面パネルの後面に化粧層を印刷しかつ化粧層の後面に転着紙を水溶性エマルジョンタイプの接着剤で結合した構成であり、化粧シートの転着紙の後面が合板製の遊技基盤の前面に熱可塑性接着剤で結合された構成であり、加熱処理を受けた場合、熱可塑性接着剤の遊技基盤と転着紙とを結合する強度が水溶性エマルジョンタイプの接着剤の化粧層と転着紙とを結合する強度よりも小さくなることを最も主要な特徴とする。熱可塑性接着剤が６０℃乃至２００℃の温度で軟化または溶融するポリビニルアルコール樹脂を主成分とする接着剤であってもよい。
【発明の効果】
【０００５】
本発明に係るパチンコ遊技機の遊技盤は、遊技盤から化粧シートを除去する場合、遊技盤に加熱処理を行うことによって、熱可塑性接着剤が軟化または溶融し、熱可塑性接着剤の遊技基盤と転着紙とを結合する強度が水溶性エマルジョンタイプの接着剤の化粧層と転着紙とを結合する強度よりも小さくなり、転着紙が遊技基盤に残留することがなく、化粧シートが遊技基盤から剥がれ、木質だけの遊技基盤を得ることができるうえ、表面パネルが熱的な劣化によって反り返り、転着紙が遊技基盤に残留することがなく、化粧シートが遊技基盤から剥がれやすくなるという利点がある。熱可塑性接着剤が６０℃乃至２００℃の温度で軟化または溶融するポリビニルアルコール樹脂を主成分とする接着剤であれば、化粧シートの表面パネルが液化せず、化粧シートを遊技基盤から剥がしやすいという利点がある。
【発明を実施するための最良の形態】
【０００６】
図１は、発明を実施するための最良の形態である。図１のａ図を参照し、遊技盤１の構造について説明する。遊技盤１は、ベニヤなどの合板製の遊技基盤２に、化粧シート３を、熱可塑性接着剤４で結合した構造である。化粧シート３は、表面パネル５の後面に化粧層６を印刷で形成し、化粧層６の後面に転着紙７を水溶性エマルジョンタイプの接着剤８で結合した構造である。表面パネル５は、ポリエチレンテレフタレート（ペット）などの透明な熱可塑性合成樹脂により構成される。化粧層６は、遊技盤１の盤面を構成する図柄などの形象を構成する。転着紙７は、白色のケント紙などにより構成される。そして、転着紙７の後面が遊技基盤２の前面に熱可塑性接着剤４で結合されたことによって、化粧シート３が遊技基盤２に熱可塑性接着剤４で結合した形態になる。熱可塑性接着剤４は、６０℃乃至２００℃の温度で軟化または溶融する、例えば、ポリビニルアルコール樹脂を主成分とする接着剤である。
【０００７】
遊技店から使用済遊技盤を回収して資源として再利用する場合について説明する。使用済遊技盤として遊技店から回収された遊技盤１から遊技部品を取り外す。遊技部品としては、ガイドレール、入賞部品、装飾部品、球誘導構造体、遊技釘などである。この遊技部品の取り外された遊技盤１は、遊技基盤２に化粧シート３を熱可塑性接着剤４で結合した構造であって、遊技部品の取り除かれた残渣孔を有する。
【０００８】
図１のｂ図を参照し、遊技店から使用済遊技盤を回収されかつ遊技部品の取り除かれた遊技盤１から化粧シート３を除去する場合について説明する。熱可塑性接着剤４を溶融させるために、遊技盤１に加熱処理９を行う。加熱処理９としては、例えば、ドライヤーなどで熱風を化粧シート３の上面に吹き付ける、または、アイロンなどの加熱体を化粧シート３の上面に接触させる、または、遊技盤１を加熱炉あるいは過熱槽に入れる。加熱処理９の結果、熱可塑性接着剤４が軟化または溶融し、熱可塑性接着剤４の遊技基盤２と化粧シート３とを結合する強度が接着剤８の化粧層６と転着紙７とを結合する強度よりも小さくなり、転着紙７が遊技基盤２に残留することがなく、化粧シート３が遊技基盤２から剥がれ、木質だけの遊技基盤２を得ることができるという利点がある。また、加熱処理９の結果、表面パネル５が熱的な劣化によって反り返り、例えば、表面パネル５が波を打つように、または、表面パネル５の中央部が上に凸となるように、または、表面パネル５の端部が上に凸となるように、表面パネル５が反り返り、転着紙７が遊技基盤２に残留することがなく、化粧シート３が遊技基盤２から剥がれやすくなるという利点がある。
【図面の簡単な説明】
【０００９】
【図１】ａ図は遊技盤の構造図、ｂ図は遊技盤から化粧シートを除去する工程図（最良の形態）。
【図２】遊技盤の構造図（従来）。
【符号の説明】
【００１０】
１は遊技盤、２は遊技基盤、３は化粧シート、４は熱可塑性接着剤、５は表面パネル、６は化粧層、８は接着剤、９は加熱処理、１０は接着剤。
【図１】
2008194105.tif 000003
【図２】
2008194105.tif 000004